(57)【特許請求の範囲】
【請求項１】
底部と、前記底部の周縁から立ち上がる外壁と、を有するタンク本体と、
前記タンク本体を覆うタンクカバーと、を備え、
前記タンク本体は、該タンク本体の外壁により前記タンク本体の外側から内側に窪む凹部を形成し、前記凹部を、電子部品を収容する電子部品収容部とし、前記凹部に上下方向の全域に亘る貫通部を設け、
前記タンク本体の周壁の上端部と前記電子部品の上部とを、前記電子部品を前記電子部品収容部に収容した状態で、直接的にまたは間接的に接続させる便器洗浄タンク。
【請求項２】
前記電子部品収容部は、前記タンク本体の外壁における対向する一対の対向壁部により構成される請求項１に記載の便器洗浄タンク。
【請求項３】
前記電子部品収容部は、前記一対の対向壁部をつなぐ橋渡部を有する請求項２に記載の便器洗浄タンク。
【請求項４】
前記電子部品収容部を構成する前記外壁の上端部は、前記タンク本体の外壁における前記電子部品収容部を構成しない外壁の上端部よりも低い位置に配置される請求項１から３のいずれかに記載の便器洗浄タンク。
【請求項５】
前記電子部品収容部を構成する前記外壁の外面に形成され、下方に向けて延びるガイド部を備える請求項４に記載の便器洗浄タンク。
【請求項６】
前記ガイド部は、前記外壁の外面から突出すると共に前記外壁の上方側において下方に向けて延びる上方側リブと、前記外壁の外面から前記上方側リブよりも低い突出量で突出すると共に前記上方側リブよりも下方の位置で下方に向けて延びる下方側リブと、を有する請求項５に記載の便器洗浄タンク。
【請求項７】
請求項１から６のいずれかに記載の便器洗浄タンクと、
前記便器洗浄タンクが配置されるベースプレートと、
前記ベースプレートに補給水を吐出する吐水部と、を備える便器洗浄装置であって、
前記吐水部は、前記電子部品収容部を構成する前記外壁側に向けて補給水を吐出する便器洗浄装置。
【発明の詳細な説明】
【技術分野】
【０００１】
本発明は、便器洗浄タンク及びこれを備える便器洗浄装置に関する。
【背景技術】
【０００２】
従来、洗浄水が貯留されるタンク本体と、便器の洗浄を駆動するためのモータ（電子部品）と、を備える便器洗浄タンクが知られている。このような便器洗浄タンクにおいては、モータは電子部品であるため、モータが水没することを回避しなければならない。モータの水没を防ぐため、モータをタンク本体の高い位置に配置することが考えられる。しかしながら、モータを高い位置に配置する場合には、便器洗浄タンクの高さが高くなり易い。
【０００３】
これに対して、タンク本体の上部の角部を凹ませた凹部をタンク本体の外側に形成して、タンク本体の外側の凹部に、モータを配置する便器洗浄タンクが提案されている（例えば、特許文献１参照）。特許文献１に記載の便器洗浄タンクは、凹部にモータを配置することで、タンク本体の高さを低くできる。
【先行技術文献】
【特許文献】
【０００４】
【特許文献１】特開２００３−２０１７２８号公報
【発明の概要】
【発明が解決しようとする課題】
【０００５】
特許文献１に記載の技術においては、タンク本体の角部を凹ませているため、タンク本体を成形して製造する場合に、２段階に分けて成形を行うなどの特殊な成形が必要となり、製造コストが高くなりがちである。
また、タンク本体の凹部は、底部を有しており、凹部には、水が溜まる可能性がある。そのため、凹部に配置されたモータが水に浸かってしまう可能性がある。
そのため、タンク本体の高さを低くした場合においても、製造コストを低減しつつ、電子部品が水没することを抑制することができる便器洗浄タンクが望まれている。
【０００６】
本発明は、製造コストを低減しつつ、電子部品が水没することを抑制することができる便器洗浄タンクを提供することを目的とする。
【課題を解決するための手段】
【０００７】
本発明は、底部（例えば、後述の底部４１１）と、前記底部の周縁から立ち上がる外壁（例えば、後述の周壁４１２）と、を有するタンク本体（例えば、後述のタンク本体４１）と、前記タンク本体を覆うタンクカバー（例えば、後述のタンクカバー２０）と、を備え、前記タンク本体は、該タンク本体前記便器洗浄タンクの外壁により形成され且つ下方に開口（例えば、後述の開口４１０）を設けた電子部品収容部（例えば、後述のモータ収容部４１４）を備える便器洗浄タンクに関する。
【０００８】
また、前記電子部品収容部は、前記タンク本体の外壁における対向する一対の対向壁部（例えば、後述の第１壁部４１３ａ、第２壁部４１３ｂ）により構成されることが好ましい。
【０００９】
また、前記電子部品収容部は、前記一対の対向壁部をつなぐ橋渡部（例えば、後述の橋渡部４１５）を有することが好ましい。
【００１０】
また、前記電子部品収容部を構成する前記外壁の上端部は、前記タンク本体の外壁における前記電子部品収容部を構成しない外壁の上端部よりも低い位置に配置されることが好ましい。
【００１１】
また、前記電子部品収容部を構成する前記外壁の外面に形成され、下方に向けて延びるガイド部（例えば、後述のリブ部４１６）を備えることが好ましい。
【００１２】
また、前記ガイド部は、前記外壁の外面から突出すると共に前記外壁の上方側において下方に向けて延びる上方側リブ（例えば、後述の上方側リブ４１６ａ）と、前記外壁の外面から前記上方側リブよりも低い突出量で突出すると共に前記上方側リブよりも下方の位置で下方に向けて延びる下方側リブ（例えば、後述の下方側リブ４１６ｃ）と、を有することが好ましい。
【００１３】
また、前記便器洗浄タンクと、前記便器洗浄タンクが配置されるベースプレート（例えば、後述のベースプレート３）と、前記ベースプレートに補給水を吐出する吐水部（例えば、後述の補給水吐水部６１）と、を備える便器洗浄装置であって、前記吐水部は、前記電子部品収容部を構成する前記外壁側に向けて補給水を吐出する便器洗浄装置に関する。
【発明の効果】
【００１４】
本発明によれば、製造コストを低減しつつ、電子部品が水没することを抑制することができる便器洗浄タンクを提供することができる。
【図面の簡単な説明】
【００１５】
【図１】本発明の第１実施形態に係る便器装置１を示す斜視図である。
【図２】第１実施形態に係る便器洗浄タンク４において、上部カバー８ａを取り外した状態を示す斜視図である。
【図３Ａ】第１実施形態に係る便器洗浄タンク４において、タンク本体４１、タンク蓋部４２及びモータ７ａの取り付け状態を示す斜視図である。
【図３Ｂ】第１実施形態に係る便器洗浄タンク４において、タンク本体４１、タンク蓋部４２及びモータ７ａの取り付け状態を示す背面図である。
【図４】第１実施形態に係る便器洗浄タンク４において、モータ７ａを取り付けた状態を示す斜視図である。
【図５】第１実施形態に係る便器洗浄タンク４において、モータ７ａの上下方向の位置関係を示す断面図である。
【図６】第１実施形態に係る便器洗浄タンク４において、第１蓋部４３と第２蓋部４４との係合状態を示す斜視図である。
【図７】本発明の第２実施形態に係る便器装置１Ａを示す斜視図である。
【図８】本発明の第３実施形態に係る便器洗浄タンク４Ａのタンク本体４１Ａを示す斜視図である。
【図９】本発明の第４実施形態に係る便器洗浄タンク９において、タンク本体９１及びモータ１１ａの取り付け状態を示す分解斜視図である。
【図１０】第４実施形態に係る便器洗浄タンク９のタンク本体９１を上方側から視た図である。
【図１１】第４実施形態に係る便器洗浄タンク９のタンク本体９１を側方側から視た図である。
【発明を実施するための形態】
【００１６】
以下、本発明の便器装置１の各実施形態について、図面を参照しながら説明する。以下の説明においては、便器装置１の便座（図示せず）に座った人から視た場合の前後の向きを前後方向とする。また、便器装置１の便座（図示せず）に座った人から視た場合の左右の向きを左右方向とする。また、鉛直方向に沿った上下の向きを上下方向とする。
【００１７】
（第１実施形態）
第１実施形態の便器装置１は、図１及び図２に示すように、便器洗浄装置１０と、便器２と、便座（図示せず）と、便蓋２ｂと、を備える。便器洗浄装置１０は、便器洗浄タンク４と、ベースプレート３と、補給水吐水機構６と、を備える。
便器洗浄タンク４は、タンクカバーとしての上部カバー８ａと、蓋部４２と、タンク本体４１と、洗浄駆動ユニット７と、給水部５と、を備える。
【００１８】
便器２は、便器本体２ａと、一対の側部カバー８ｂ，８ｂと、を備える。一対の側部カバー８ｂ，８ｂは、図１に示すように、便器本体２ａの後方の左右方向の両側の側部を塞ぐように形成される。
便座（図示せず）及び便蓋２ｂは、便器本体２ａの上部に、便器本体２ａに対して回動可能に取り付けられる。
【００１９】
ベースプレート３は、便器本体２ａの後方の上面に取り付けられる。ベースプレート３の上方には、タンク本体４１が配置される。ベースプレート３には、補給水吐水機構６が取り付けられている。
【００２０】
補給水吐水機構６は、給水流路部５１（後述）の分岐流路部５１２に接続され、分岐流路部５１２を流通する水を補給水として、ベースプレート３に吐出する。補給水吐水機構６は、吐水部としての補給水吐水部６１と、水量調整操作ダイヤル６２と、を有する。
【００２１】
補給水吐水部６１は、ベースプレート３の内側に向けて補給水を吐出する。水量調整操作ダイヤル６２は、給水流路部５１（後述）の分岐流路部５１２を流通する水の流れを調整可能である。水量調整操作ダイヤル６２は、ベースプレート３の下方に突出するように配置される。
【００２２】
ベースプレート３には、ガイド壁３１が形成される。ガイド壁３１は、ベースプレート３の上面から上方に立ち上がるように形成される。ガイド壁３１は、補給水吐水部６１から吐出される補給水の流れをガイドする。ガイド壁３１の詳細については後述する。
【００２３】
タンク本体４１は、ベースプレート３の上方において、便器２の後方かつ上方に配置され、便器本体２ａを洗浄する洗浄水を貯留する。タンク本体４１は、便器洗浄タンク４に内装される。タンク本体４１の上部には、タンク蓋部４２が配置されている。タンク本体４１及びタンク蓋部４２は、タンクカバー２０に覆われている。
【００２４】
タンク本体４１は、洗浄水を貯留する。タンク本体４１は、図２及び図３Ａに示すように、便器洗浄タンク４の左右方向に長く形成される。タンク本体４１は、上面が開口して形成され、底部４１１と、底部４１１の周縁から立ち上がり周囲を囲むように形成される周壁４１２と、を備える。周壁４１２は、タンク本体４１の外壁を構成する。
【００２５】
タンク本体４１の底部４１１には、フラッパー弁（図示せず）により開閉される排水口（図示せず）が形成されている。フラッパー弁を引き上げて排水口を開放することにより、タンク本体４１の内部に貯留された洗浄水が排水口から流出して便器本体２ａに供給され、便器本体２ａが洗浄される。フラッパー弁には、玉鎖（図示せず）を介して洗浄駆動ユニット７に接続されており、例えば、操作ボタンの操作により、洗浄駆動ユニット７が駆動されて、フラッパー弁は、開閉される。
【００２６】
洗浄駆動ユニット７は、便器２の洗浄時に駆動する。洗浄駆動ユニット７は、モータ回転軸部材７ｂを有するモータ７ａ（電子部品）を備える。モータ７ａは、後述するモータ収容部４１４（電子部品収容部）に収容される。
【００２７】
タンク本体４１の内部には、鉛直方向に延びるオーバーフロー管１５が設けられている。オーバーフロー管１５は、タンク本体４１の左右方向の中央寄りに設けられる（図３Ｂ参照）。オーバーフロー管１５は、上部に開口部１５ａを有する。開口部１５ａは、オーバーフロー管１５の上端において、タンク本体４１に貯留される洗浄水の水位の上限に合わせた高さで開口する。オーバーフロー管１５の下端側は、排出口（図示せず）に連通している。
【００２８】
タンク本体４１は、図２〜図３Ｂに示すように、タンク本体４１の後端部から前方側に窪むタンク凹部４１３を有する。タンク凹部４１３は、タンク本体４１の後部において、タンク本体４１の外側から内側に窪んで形成され、タンク本体４１の上下方向の全域に亘って連通しており、下方に開口４１０が設けられている。つまり、タンク凹部４１３は、タンク本体４１の外壁の外側において、タンク本体４１を上下方向に貫通して形成される。
【００２９】
タンク凹部４１３は、タンク本体４１の左右方向の中央から一方側（図２〜図３Ｂにおける左側）にずれた位置に形成される。タンク凹部４１３は、オーバーフロー管１５に対してタンク本体４１の左右方向の一方側（図３Ａ及び図３Ｂにおける左側）に配置される。タンク凹部４１３は、第１壁部４１３ａと、第２壁部４１３ｂと、第３壁部４１３ｃと、により構成される。第１壁部４１３ａと、第２壁部４１３ｂと、第３壁部４１３ｃは、周壁４１２の一部を構成する。
【００３０】
第１壁部４１３ａは、タンク凹部４１３におけるタンク本体４１の左右方向の他方側（図２〜図３Ｂにおける右側）に形成され、タンク本体４１の前後方向及び上下方向に沿う方向に延びる。第１壁部４１３ａは、タンク本体４１の左右方向の一方側（図２〜図３Ｂにおける左側）を向く面である。
【００３１】
第２壁部４１３ｂは、タンク凹部４１３におけるタンク本体４１の左右方向の一方側（図２〜図３Ｂにおける左側）に形成され、タンク本体４１の前後方向及び上下方向に沿う方向に延びる。第２壁部４１３ｂは、第１壁部４１３ａよりもタンク本体４１の左右方向の一方側（図２〜図３Ｂにおける左側）において、第１壁部４１３ａに略平行に、第１壁部４１３ａに対向して配置される。第２壁部４１３ｂは、タンク本体４１の左右方向の他方側（図２〜図３Ｂにおける右側）を向く面である。
【００３２】
第３壁部４１３ｃは、タンク凹部４１３におけるタンク本体４１の前方側に形成され、第１壁部４１３ａ及び第２壁部４１３ｂの前方側の端辺を左右方向につないで形成される。第３壁部４１３ｃは、タンク本体４１の前後方向の後方側（図２〜図３Ｂにおける手前側）を向く面であり、タンク本体４１の左右方向及び上下方向に沿う方向に延びる。
【００３３】
第１壁部４１３ａ及び第２壁部４１３ｂは、対向して配置され、タンク本体４１の外壁における対向する一対の対向壁部を構成する。第１壁部４１３ａは、タンク本体４１の左右方向において、第２壁部４１３ｂ及び第３壁部４１３ｃよりも、後述する主流路部５１１の洗浄水吐水部５１１ａ及びオーバーフロー管１５側に配置される（図３Ｂ参照）。第１壁部４１３ａ及び第２壁部４１３ｂは、図５に示すように、上方から下方に向かうに従って徐々に離れるように僅かに傾斜して形成される。
【００３４】
第１壁部４１３ａ及び第２壁部４１３ｂは、図３Ａ〜図５に示すように、モータ７ａ（電子部品）を収容する電子部品収容部としてのモータ収容部４１４を構成する。第１壁部４１３ａ及び第２壁部４１３ｂは、タンク本体４１の外壁である周壁４１２の一部である。モータ収容部４１４には、洗浄駆動ユニット７のモータ７ａが収容される。モータ収容部４１４には、下方に開口４１０が設けられており、モータ収容部４１４は、タンク本体４１の外壁の外側において、タンク本体４１を上下方向に貫通して形成されている。モータ７ａは、後述するタンク蓋部４２の第１蓋部４３に取り付けられた状態で、タンク本体４１の上端において、モータ収容部４１４に収容される。
【００３５】
第１壁部４１３ａ、第２壁部４１３ｂ及び第３壁部４１３ｃの上端部は、タンク本体４１の周壁４１２におけるモータ収容部４１４を構成しない周壁４１２の上端部よりも低い位置に配置されている。これにより、モータ収容部４１４を構成する第１壁部４１３ａ、第２壁部４１３ｂ及び第３壁部４１３ｃの上端部よりも洗浄水の水位が高くなると、洗浄水は、モータ収容部４１４を構成する第１壁部４１３ａ、第２壁部４１３ｂ及び第３壁部４１３ｃの上端部から溢れる。本実施形態においては、タンク本体４１の下方には、ベースプレート３が配置されている。そのため、モータ収容部４１４を構成する外壁（第１壁部４１３ａ、第２壁部４１３ｂ及び第３壁部４１３ｃ）の上端部から溢れた洗浄水は、ベースプレート３に流入する。このようにして、モータ収容部４１４を構成する外壁（第１壁部４１３ａ、第２壁部４１３ｂ及び第３壁部４１３ｃ）の上端部に達した洗浄水は、タンク本体４１の外部に溢れる。
【００３６】
そのため、モータ収容部４１４を構成する第１壁部４１３ａ、第２壁部４１３ｂ及び第３壁部４１３ｃの上端部を、タンク本体４１の外壁におけるモータ収容部４１４を構成しない外壁の上端部よりも低い位置に配置することで、例えば、フラッパー弁（図示せず）やフラッパー弁（図示せず）を駆動する駆動機構が壊れて、フラッパー弁（図示せず）により開閉される排水口（図示せず）が閉状態のままとなった場合に、オーバーフロー管１５から洗浄水を外部に排出しきれない場合に、洗浄水をオーバーフローさせる機能を備えることができる。
【００３７】
本実施形態のモータ７ａは、電子部品であるため、水没することを回避しなければならない。ただし、モータ７ａには、水が多少掛かった場合に、破壊されない耐水性を有する構造及び処理が施されている。そのため、モータ収容部４１４がオーバーフローの機能を備えることで、モータ７ａに水が掛かったとしても、モータ７ａが壊れることはなく、モータ７ａの動作には影響はない。
【００３８】
モータ収容部４１４は、図３Ａ及び図３Ｂに示すように、橋渡部４１５を有する。橋渡部４１５は、橋渡部本体４１５ｂと、橋渡上面部４１５ａと、を有する。
橋渡部本体４１５ｂは、タンク凹部４１３の上部におけるタンク本体４１の後方側において、第１壁部４１３ａ及び第２壁部４１３ｂ（一対の対向壁部）を、便器洗浄タンク４の左右方向につないで形成される。橋渡部本体４１５ｂは、タンク凹部４１３の上部において、タンク本体４１の上下方向及び左右方向に延びる方形板状に形成されており、タンク凹部４１３の上端部から下方に所定長さ延びる。橋渡上面部４１５ａは、橋渡部本体４１５ｂの上端部において、前後方向に幅を有して形成され、タンク蓋部４２が配置される座面を構成する。モータ７ａは、第１蓋部４３に取り付けられた状態で、前方側がタンク本体４１に支持されると共に、後方側が橋渡部４１５に支持される。
【００３９】
第１壁部４１３ａは、図３Ａ及び図３Ｂに示すように、その外面において、ガイド部としてのリブ部４１６を有する。ここで、第１壁部４１３ａは、モータ収容部４１４の左右方向において、第２壁部４１３ｂ及び第３壁部４１３ｃよりも、後述する主流路部５１１の洗浄水吐水部５１１ａ及びオーバーフロー管１５側に配置されている（図３Ｂ参照）。そのため、リブ部４１６は、モータ収容部４１４を構成する第１壁部４１３ａ、第２壁部４１３ｂ及び第３壁部４１３ｃのうち、後述する主流路部５１１の洗浄水吐水部５１１ａ及びオーバーフロー管１５側において洗浄水が勢いよく流れる側の第１壁部４１３ａに配置される。これにより、リブ部４１６は、第１壁部４１３ａ、第２壁部４１３ｂ及び第３壁部４１３ｃから溢れる洗浄水について、洗浄水が勢いよく流れる側の第１壁部４１３ａへ伝わった洗浄水の飛沫が飛び跳ねることを抑制することができる。
【００４０】
リブ部４１６は、第１壁部４１３ａの外面に形成され、橋渡部４１５の下端部から下方に向けて延びる板状に形成される。リブ部４１６は、第１壁部４１３ａの外面において上下方向に直線状に延びる。リブ部４１６は、上方側リブ４１６ａと、中間傾斜リブ４１６ｂと、下方側リブ４１６ｃと、を有する。
【００４１】
上方側リブ４１６ａは、第１壁部４１３ａの外面から一定の突出量（高さ）で突出すると共に、第１壁部４１３ａの上方側において下方に向けて延びる。上方側リブ４１６ａの突出量は、第１壁部４１３ａの上方側においては、第１壁部４１３ａの上端部から溢れた洗浄水の量が多いため、その溢れた洗浄水をせき止めることができる高さであることが好ましい。また、上方側リブ４１６ａの上下方向の長さは、第１壁部４１３ａから溢れた洗浄水が伝わって洗浄水がタンク本体４１の外部に飛び散ることが抑制できる長さであることが好ましい。上方側リブ４１６ａを設けることで、第１壁部４１３ａから溢れた洗浄水は、上方側リブ４１６ａを伝わって、下方に向けてガイドされる。
【００４２】
傾斜リブ４１６ｂは、上方側リブ４１６ａの下端部から下方に延びる。上方側リブ４１６ａと下方側リブ４１６ｃとの間に配置される。傾斜リブ４１６ｂは、上方側リブ４１６ａの下端部から下方に向かうに従って、第１壁部４１３ａの外面からの突出量が低くなるように傾斜して延びる。傾斜リブ４１６ｂは、上方側リブ４１６ａによりガイドされた洗浄水を、傾斜リブ４１６ｂの傾斜部分に伝わらせて、下方側リブ４１６ｃに導く。傾斜リブ４１６ｂが上方側リブ４１６ａと下方側リブ４１６ｃとの間に配置されることにより、上方側リブ４１６ａによりガイドされた洗浄水を、タンク本体４１の外部に飛び散ることを抑制した状態で、下方側リブ４１６ｃに伝わらせことができる。
【００４３】
下方側リブ４１６ｃは、傾斜リブ４１６ｂの下端部から下方に延びる。下方側リブ４１６ｃは、第１壁部４１３ａの外面において、上方側リブ４１６ａよりも下方の位置で下方に向けて延びる。下方側リブ４１６ｃは、第１壁部４１３ａの外面から上方側リブ４１６ａよりも低い突出量で一定の高さに突出する。下方側リブ４１６ｃの下端部４１６ｄは、水平方向において、ベースプレート３の側壁の上端部よりも下方に配置される。
【００４４】
下方側リブ４１６ｃは、上方側リブ４１６ａにおいて、飛散が抑制された洗浄水を、下方に向けて伝わらせて、洗浄水をベースプレート３に導くことができる。下方側リブ４１６ｃの突出量が上方側リブ４１６ａの突出量よりも低く形成されていても、上方側リブ４１６ａにおいて第１壁部４１３ａの上端部から溢れた洗浄水の勢いが抑えられているため、下方側リブ４１６ｃは、洗浄水を下方に向けて導くことができる。
下方側リブ４１６ｃの下端部４１６ｄが、水平方向において、ベースプレート３の側壁の上端部よりも下方に配置されることで、下方側リブ４１６ｃの下端部４１６ｄまで伝わった洗浄水は、ベースプレート３の側壁により、ベースプレート３の外部へ飛び散ることが抑制される。
【００４５】
また、工場などにおいて、複数のタンク本体４１を積み重ねて保管する場合がある。ここで、下方側リブ４１６ｃの突出量は、上方側リブ４１６ａの突出量よりも低く形成されており、タンク本体４１を積み重ねる際に、第１壁部４１３ａの外面からの突出量が、複数のタンク本体４１を積み重ねる際に妨げにならない突出量が設定される。これにより、複数のタンク本体４１を容易に積み重ねることができる。
【００４６】
図５に示すように、本実施形態においては、モータ収容部４１４にモータ７ａを収容した状態においては、モータ７ａの下部は、タンク本体４１の外部において、タンク本体４１に貯留された洗浄水の水面よりも下方に位置するように配置される。なお、モータ７ａの下部の位置は、タンク本体４１の外部において、タンク本体４１に貯留された洗浄水の水面よりも上方であってもよい。
【００４７】
モータ収容部４１４（タンク本体４１のタンク凹部４１３）の下方に形成された開口４１０の下方には、図２に示すように、ベースプレート３が配置されている。ベースプレート３には、前述の通り、ガイド壁３１が形成されている。
【００４８】
ガイド壁３１は、図２に示すように、ベースプレート３の左右方向の中央から一方側（図２における左側）にずれた位置において、タンク本体４１のタンク凹部４１３の下方側に配置される。ガイド壁３１は、ベースプレート３の上面から上方に立ち上がるように形成される。ガイド壁３１は、補給水吐水機構６の補給水吐水部６１から吐出される補給水をガイドするように、補給水吐水部６１側の面が凹となるように湾曲して、ベースプレート３の後方側から前方側に向かって、補給水吐水部６１の吐出口の側方の近傍から補給水吐水部６１から離れる側に、円弧状に延びる。
【００４９】
補給水吐水部６１は、モータ収容部４１４を構成する第１壁部４１３ａ（外壁）側に向けて補給水を吐水する。本実施形態においては、補給水吐水部６１から吐出される補給水は、モータ収容部４１４を構成する第１壁部４１３ａ（外壁）側に配置されるガイド壁３１に向けて吐出されて、ガイド壁３１に沿ってガイドされる。
【００５０】
補給水吐水機構６の補給水吐水部６１及びガイド壁３１においては、補給水吐水部６１は、ベースプレート３の内側に向けて補給水を吐出し、ガイド壁３１は、補給水吐水部６１から吐出される補給水の流れをガイドする。そのため、補給水吐水部６１から吐出される補給水は、ベースプレート３の中央前方側に向かうように、モータ収容部４１４を構成する第１壁部４１３ａ（外壁）側に向けて吐出されて、ガイド壁３１に沿ってガイドされる。ガイド壁３１に衝突して上方側に跳ねた補給水は、タンク本体４１のタンク凹部４１３（後述）を構成する第１壁部４１３ａ、第２壁部４１３ｂ及び第３壁部４１３ｃにより、補給水の飛沫がベースプレート３の外部へ飛び跳ねることが抑制される。第１壁部４１３ａ及び第２壁部４１３ｂは、前述の通り、モータ収容部４１４（電子部品収容部）を構成している。
【００５１】
なお、本実施形態では、ベースプレート３にガイド壁３１を設けたが、これに限定されない。ベースプレート３にガイド壁３１を設けずに、補給水吐水部６１が、モータ収容部４１４を構成する第１壁部４１３ａ又は第２壁部４１３ｂに直接的に補給水を吐出するように構成してもよい。この場合においても、モータ収容部４１４を構成する第１壁部４１３ａ及び第２壁部４１３ｂにより、補給水の飛沫がベースプレート３の外部へ飛び跳ねることが抑制される。
【００５２】
給水部５は、図２に示すように、便器洗浄タンク４に備えられる。給水部５は、給水流路部５１を備える。給水部５には、外部の給水源（図示せず）に接続される給水管５０１が接続されている。
【００５３】
給水流路部５１は、主流路部５１１と、分岐流路部５１２と、を有する。
主流路部５１１は、タンク本体４１の内側を通る。主流路部５１１は、給水部５から給水された洗浄水を、タンク本体４１に供給する。主流路部５１１の下流側端部には、洗浄水吐水部５１１ａが設けられている。洗浄水吐水部５１１ａは、タンク本体４１の左右方向の中央よりも他方側（図３Ｂにおける右側）に設けられる。洗浄水吐水部５１１ａは、タンク本体４１の内部に水を吐出する。
【００５４】
分岐流路部５１２は、主流路部５１１から分岐して、タンク本体４１の外部を通る。分岐流路部５１２は、給水部５から給水された洗浄水を、便器本体２ａに補給する補給水として、タンク本体４１の外部において、ベースプレート３に吐出する。分岐流路部５１２は、下流側の端部において、前述の通り、補給水をベースプレート３に吐出する補給水吐水部６１（吐水部）が設けられている。
【００５５】
また、タンク本体４１は、タンク蓋部４２をタンク本体４１に取り付けるための構造として、図３Ａに示すように、タンク側係合部４５１と、第１タンク側ねじ穴４５２と、第２タンク側ねじ穴４５３と、を有する。
【００５６】
タンク側係合部４５１は、タンク本体４１の周壁４１２における第２蓋部４４が取り付けられる左右方向の他方側（図３Ａにおける右側）の前方側の上端部に形成される。タンク側係合部４５１には、係合穴が形成される。タンク側係合部４５１には、第２蓋部４４における第２蓋部側第２係合部４４７（後述）が係合される。
第１タンク側ねじ穴４５２は、タンク本体４１の周壁４１２における左右方向の第１蓋部４３が取り付けられる左右方向の一方側（図３Ａにおける左側）の前方側の上端部に形成される。
第２タンク側ねじ穴４５３は、タンク本体４１の周壁４１２における左右方向の第１蓋部４３が取り付けられる左右方向の一方側（図３Ａにおける左側）の後方側の橋渡部４１５の上面に形成される。
【００５７】
タンク蓋部４２は、図３Ａに示すように、タンク本体４１の上面に配置され、タンク本体４１の上面を覆う。タンク蓋部４２は、第１蓋部４３と、第２蓋部４４と、を有する。第１蓋部４３及び第２蓋部４４は、タンク蓋部４２が複数に分割されて形成される。第１蓋部４３及び第２蓋部４４は、板状に形成され、タンク本体４１の上面を覆う。
【００５８】
第１蓋部４３は、便器洗浄タンク４の左右方向の一方側（図３Ａにおける左側）において、タンク本体４１の上面に配置され、タンク本体４１の左右方向の一方側（図４における左側）を全て覆う。第１蓋部４３には、洗浄駆動ユニット７のモータ７ａが取り付けられている。
【００５９】
第１蓋部４３は、２つ（複数）に分割された蓋部のうちの１つの蓋部により構成される。第１蓋部４３には、図３Ａ及び図４に示すように、モータ７ａが固定される。モータ７ａは、第１蓋部４３に固定された状態で、タンク本体４１のモータ収容部４１４に配置される。
【００６０】
第１蓋部４３は、図３Ａに示すように、モータ配置用開口４３１と、モータ取付ねじ穴４３２ａと、モータ取付貫通穴４３３ａと、タンク本体取付貫通穴４３４と、第１係合部としての第１蓋部側係合部４３５と、線状部材係止部としての第１線状部材係止部４３６と、線状部材係止部としての第２線状部材係止部４３７と、座面４３２，４３３と、を有する。座面４３２，４３３は、第１蓋部４３において、モータ配置用開口４３１を挟んで、タンク本体４１の前後方向に離間して配置される。座面４３２，４３３は、前後方向に延びる溝状の部分の上面で構成される。
【００６１】
モータ配置用開口４３１には、洗浄駆動ユニット７のモータ７ａが配置される。
モータ７ａには、モータ回転軸部材７ｂがモータ７ａを左右方向に貫通して配置されている。モータ７ａには、上部において、一対の取付延出部７１，７２が形成されている。取付延出部７１，７２は、モータ回転軸部材７ｂが延びる方向に直交する方向に沿って、同一直線上に沿って配置され、モータ７ａの前後方向の外側の両方に延出する。モータ７ａの取付延出部７１，７２は、第１蓋部４３におけるモータ配置用開口４３１の両側の枠部分の座面４３２，４３３に掛け渡される。取付延出部７１，７２には、モータ側取付貫通穴７１ａ、７２ａが形成されている。
【００６２】
第１蓋部４３は、モータ７ａが第１蓋部４３に固定された状態で、タンク本体４１に固定される。具体的には、第１蓋部４３の座面４３２，４３３にモータ７ａの取付延出部７１，７２を載置してモータ７ａを第１蓋部４３に取り付けた状態で、モータ７ａが取り付けられた第１蓋部４３をタンク本体４１に取り付ける。この状態で、次のように、第１蓋部４３とタンク本体４１とモータ７ａとは、第１ねじ部材１０１、第２ねじ部材１０２及び第３ねじ部材１０３で固定される。
【００６３】
モータ７ａの一方の取付延出部７１においては、第１ねじ部材１０１がモータ側取付貫通穴７１ａに挿通され、モータ側取付貫通穴７１ａの周縁に第１ねじ部材１０１の頭部が係止された状態で、第１ねじ部材１０１の先端側のねじ部分がモータ取付ねじ穴４３２ａに螺合される。
また、モータ７ａの他方の取付延出部７２においては、第２ねじ部材１０２がモータ側取付貫通穴７２ａ及びモータ取付貫通穴４３３ａに挿通され、モータ側取付貫通穴７２ａの周縁に第２ねじ部材１０２の頭部が係止された状態で、第２ねじ部材１０２の先端側のねじ部分が第２タンク側ねじ穴４５３に螺合される。
また、第１蓋部４３の前方側においては、第３ねじ部材１０３がタンク本体取付貫通穴４３４に挿通され、タンク本体取付貫通穴４３４の周縁に第３ねじ部材１０３の頭部が係止された状態で、第３ねじ部材１０３の先端側のねじ部分が第１タンク側ねじ穴４５２に螺合される。
【００６４】
第１蓋部側係合部４３５（第１係合部）は、図３Ａ及び図６に示すように、第１蓋部４３の後方側において第２蓋部４４側の側部に形成される。第１蓋部側係合部４３５は、図６に示すように、第１蓋部４３における第２蓋部４４側の側部の下面から下方に延出する。第１蓋部側係合部４３５は、便器洗浄タンク４の前後方向に沿って延びる。第２蓋部４４に形成された第２蓋部側第１係合部４４６（第２係合部）が第１蓋部側係合部４３５に係合する。
【００６５】
第１線状部材係止部４３６は、図３Ａ及び図４に示すように、第１蓋部４３の前方側において、上部に形成される。第１線状部材係止部４３６は、モータ７ａの電力線であるモータ用線材１１１（線状部材）を係止する。モータ用線材１１１は、モータ７ａと基板部（図示せず）とを接続する。
【００６６】
第２線状部材係止部４３７は、図３Ａ及び図４に示すように、第１蓋部４３の後方側において、上部に形成される。第２線状部材係止部４３７は、図２に示すように、操作紐１１２（線状部材）を係止する。
【００６７】
操作紐１１２は、操作レバー（図示せず）とモータ回転軸部材７ｂとを接続する。
【００６８】
第２蓋部４４は、便器洗浄タンク４の左右方向の一方側（図３における右側）において、タンク本体４１の上面に配置される。第２蓋部４４は、複数に分割された蓋部のうちの第１蓋部４３とは異なる蓋部である。
【００６９】
第２蓋部４４は、図３Ａに示すように、平面部４４１と、平面部４４１に向かって緩やかに下り傾斜した複数の傾斜部４４２と、導入部４４３と、開口部４４４と、を有する。導入部４４３は、平面部４４１及び傾斜部４４２を流れた水を、タンク本体４１に導入する。導入部４４３は、傾斜面４４３ａと、導入開口４４３ｂと、を有する。
【００７０】
第２蓋部４４は、第２係合部としての第２蓋部側第１係合部４４６と、第２蓋部側第２係合部４４７と、を有する。
【００７１】
第２蓋部側第１係合部４４６は、図３Ａ及び図６に示すように、第２蓋部４４の後方において第１蓋部４３側の側部に形成される。第２蓋部側第１係合部４４６は、図６に示すように、第２蓋部４４における第１蓋部４３側の側部において、下方に延出すると共に下端部が外側に突出する。第２蓋部側第１係合部４４６は、第１蓋部４３の第１蓋部側係合部４３５（第１係合部）に係合する。
【００７２】
第２蓋部側第２係合部４４７は、図３Ａに示すように、第２蓋部４４における前方側の端部に形成される。第２蓋部側第２係合部４４７は、第２蓋部４４における前方側の側部において、下方に延出すると共に下端部が外側に突出する。第２蓋部側第２係合部４４７は、タンク本体４１のタンク側係合部４５１の係合穴に係合する。
【００７３】
以上のように構成される便器洗浄タンク４において、モータ７ａ及びタンク蓋部４２（第１蓋部４３及び第２蓋部４４）は、図３Ａを参照して説明すると、次のように、タンク本体４１に取り付けられる。
【００７４】
まず、モータ７ａを第１蓋部４３のモータ配置用開口４３１に配置した状態で、第１蓋部４３をタンク本体４１に取り付ける。具体的には、第１蓋部４３の座面４３２，４３３にモータ７ａの取付延出部７１，７２を載置し且つモータ７ａを第１蓋部４３のモータ配置用開口４３１に配置した状態で、モータ収容部４１４に第１蓋部４３を配置する。そして、第１ねじ部材１０１、第２ねじ部材１０２及び第３ねじ部材１０３により、モータ７ａをタンク本体４１に固定する。なお、モータ収容部４１４に第１蓋部４３を配置する前に、第１ねじ部材１０１で、モータ７ａを第１蓋部４３に固定してもよい。
【００７５】
詳細には、第１ねじ部材１０１をモータ７ａのモータ側取付貫通穴７１ａに挿入することで、モータ側取付貫通穴７１ａの周縁に第１ねじ部材１０１の頭部が係止された状態で、第１ねじ部材１０１の先端側のねじ部分をモータ取付ねじ穴４３２ａに螺合させる。これにより、第１ねじ部材１０１により、モータ７ａの一方側の取付延出部７１を第１蓋部４３に固定する。
【００７６】
また、第２ねじ部材１０２をモータ７ａのモータ側取付貫通穴７２ａ及び第１蓋部４３のモータ取付貫通穴４３３ａに挿入することで、モータ側取付貫通穴７２ａの周縁に第２ねじ部材１０２の頭部が係止された状態で、第２ねじ部材１０２の先端側のねじ部分をタンク本体４１の第２タンク側ねじ穴４５３に螺合させる。これにより、第２ねじ部材１０２により、モータ７ａの他方側の取付延出部７２を第１蓋部４３に固定すると共に、第１蓋部４３の後方側の部分をタンク本体４１に固定する。
【００７７】
また、第３ねじ部材１０３を第１蓋部４３のタンク本体取付貫通穴４３４に挿通することで、タンク本体取付貫通穴４３４の周縁に第３ねじ部材１０３の頭部が係止された状態で、第３ねじ部材１０３の先端側のねじ部分をタンク本体４１の第１タンク側ねじ穴４５２に螺合させる。これにより、第３ねじ部材１０３により、第１蓋部４３の前方側の部分をタンク本体４１に固定する。
【００７８】
また、第２蓋部４４をタンク本体４１に取り付ける。具体的には、第２蓋部４４の第２蓋部側第１係合部４４６を第１蓋部４３の第１蓋部側係合部４３５に係合させると共に、第２蓋部４４の第２蓋部側第２係合部４４７をタンク本体４１のタンク側係合部４５１に係合させる。これにより、第２蓋部４４をタンク本体４１に取り付ける。
【００７９】
第１蓋部４３及び第２蓋部４４をタンク本体４１から取り外す場合には、次のように取り外す。
第２蓋部４４をタンク本体４１から取り外す場合には、第２蓋部４４の第２蓋部側第１係合部４４６と第１蓋部４３の第１蓋部側係合部４３５との係合を外すと共に、第２蓋部４４の第２蓋部側第２係合部４４７とタンク本体４１のタンク側係合部４５１との係合を外す。
また、第１蓋部４３をタンク本体４１から取り外す場合には、第２ねじ部材１０２及び第３ねじ部材１０３を取り外すことで、第１蓋部４３をタンク本体４１から取り外す。
【００８０】
なお、本実施形態においては、第１蓋部４３をタンク本体４１に先に取り付けた後に、第２蓋部４４をタンク本体４１に取り付けたが、これに限定されない。第２蓋部４４をタンク本体４１に先に取り付けた後に、第１蓋部４３をタンク本体４１に取り付けてもよい。
【００８１】
ここで、本実施形態においては、タンク蓋部４２が第１蓋部４３と第２蓋部４４とに分割されているため、タンク蓋部４２の取り扱いが容易である。これにより、メンテナンスの時などにおいて、タンク本体４１に対して、第１蓋部４３及び第２蓋部４４の着脱の作業が容易である。
【００８２】
以上説明した本実施形態の便器洗浄タンク４によれば、以下のような効果を奏する。
本実施形態の便器洗浄タンク４は、底部４１１と、底部４１１の周縁から立ち上がる周壁４１２と、を有するタンク本体４１と、タンク本体４１を覆うタンクカバー２０と、を備え、タンク本体４１は、タンク本体４１の周壁４１２により形成され且つ下方に開口４１０を設けたモータ収容部４１４を備える。このため、モータ収容部４１４は、タンク本体４１の周壁４１２により形成され、下方に開口４１０を有するため、形状が簡易であり、タンク本体４１を成形して製造する場合に、タンク本体４１を成形するコストを低減できる。これにより、モータ７ａを設置するための製造コストを低減することができる。また、モータ収容部４１４にモータ７ａを収容することで、モータ７ａが水没することを抑制できる。よって、タンク本体４１の高さを低くした場合においても、モータ７ａを設置するための製造コストを低減しつつ、モータ７ａが水没することを抑制することができる。
【００８３】
また、本実施形態においては、モータ収容部４１４は、タンク本体４１の外壁４１２における対向する一対の対向壁部４１３ａ，４１３ｂにより構成される。そのため、一対の対向壁部４１３ａ，４１３ｂによりモータ７ａをタンク本体４１の左右方向の両側から支持できる。よって、モータ７ａを安定した状態で、タンク本体４１に取り付けることができる。
【００８４】
また、本実施形態においては、モータ収容部４１４は、一対の対向壁部である第１壁部４１３ａ及び第２壁部４１３ｂをつなぐ橋渡部４１５を有する。モータ収容部４１４の強度を向上させることができ、モータ７ａを安定した状態で、タンク本体４１に取り付けることができる。
【００８５】
また、本実施形態においては、第１壁部４１３ａ、第２壁部４１３ｂ及び第３壁部４１３ｃの上端部は、タンク本体４１の外壁４１２におけるモータ収容部４１４を構成しない外壁４１２の上端部よりも低い位置に配置される。これにより、洗浄水をオーバーフローさせる機能を備えることができる。
【００８６】
また、本実施形態においては、第１壁部４１３ａの外面に形成され、下方に向けて延びるリブ部４１６を備える。これにより、第１壁部４１３ａの上端部から溢れた洗浄水を、第１壁部４１３ａの外面のリブ部４１６において伝わらせて、洗浄水の飛沫がタンク本体４１の外部に飛び跳ねることを抑制できる。
【００８７】
また、リブ部４１６は、第１壁部４１３ａの外面から突出すると共に第１壁部４１３ａの上方側において下方に向けて延びる上方側リブ４１６ａと、第１壁部４１３ａの外面から上方側リブ４１６ａよりも低い突出量で突出すると共に上方側リブよりも下方の位置で下方に向けて延びる下方側リブ４１６ｃと、を有する。これにより、リブ部４１６の上方側において上方側リブ４１６ａにおいて洗浄水の飛沫がタンク本体４１の外部に飛び跳ねることを抑制してガイドできると共に、リブ部４１６の下方側において上方側リブ４１６ａにより勢いが弱まった洗浄水を下方に向けてガイドできる。また、下方側リブ４１６ｃの突出量は、上方側リブ４１６ａの突出量よりも低く形成されているため、複数のタンク本体４１を容易に積み重ねることができる。
【００８８】
また、本実施形態の便器洗浄装置においては、便器洗浄タンク４が配置されるベースプレート３と、ベースプレート３に補給水を吐出する補給水吐水部６１と、を備える便器洗浄装置１０であって、吐水部６１は、モータ収容部４１４を構成する外壁４１２側に向けて補給水を吐出する。これにより、タンク本体４１のタンク凹部４１３（後述）を構成する第１壁部４１３ａ、第２壁部４１３ｂ及び第３壁部４１３ｃにより、補給水の飛沫がベースプレート３の外部へ飛び跳ねることを抑制できる。
【００８９】
次に、本発明の他の各実施形態について、図面を参照して説明する。なお、以下の各実施形態では、主に第１実施形態との相違点について説明する。各実施形態では、第１実施形態と同一又は同等の構成については同じ符号を付して説明する。また、各実施形態では、第１実施形態と重複する説明を適宜に省略する。
【００９０】
（第２実施形態）
本発明の第２実施形態について、図７を参照して説明する。
図７に示すように、第２実施形態に係る便器装置１Ａにおいては、第１実施形態の便器装置１に比べて、手洗い部１８を備える点が主に異なる。
【００９１】
第２実施形態の便器装置１Ａは、上部カバー８ａの構成に代えてタンクカバー２０を備える。また、第１実施形態の便器装置１の構成に加えて、手洗い部１８を備える。
タンクカバー２０は、図７に示すように、タンク本体４１及びタンク蓋部４２を覆うように、タンク本体４１及びタンク蓋部４２に被せられる。タンクカバー２０は、上部カバー部２１と、下部カバー部２２と、を有する。
手洗い部１８は、図７に示すように、タンクカバー２０の上部カバー部２１に設けられている。手洗い部１８は、手洗いボウル部１８ａと、手洗い吐水部１８ｂと、を備える。
【００９２】
第２実施形態によれば、第１実施形態と同様の効果を奏する。つまり、手洗い部１８を備える便器装置１Ａにおいて、タンク本体４１の高さを低くした場合においても、モータ７ａを設置するための製造コストを低減しつつ、モータ７ａが水没することを抑制することができる。
【００９３】
（第３実施形態）
本発明の第３実施形態について、図８を参照して説明する。
第３実施形態に係る便器洗浄タンク４Ａは、第１実施形態の便器洗浄タンク４に比べて、電子部品収容部としてのモータ収容部４１４Ａがタンク本体４１Ａの外壁であって内周壁部４１２ｂにより形成される点において主に異なる。
【００９４】
第３実施形態のタンク本体４１Ａは、図８に示すように、底部４１１と、外周壁部４１２ａと、内周壁部４１２ｂと、を備える。外周壁部４１２ａ及び内周壁部４１２ｂは、タンク本体４１Ａの外壁を構成する。
【００９５】
内周壁部４１２ｂは、タンク本体４１Ａの内側の外壁において上下方向に貫通する筒状に形成される。内周壁部４１２ｂは、平面視で長方形状に形成され、一対の第１対向壁部４１２ｃ，４１２ｃと、一対の第２対向壁部４１２ｄ，４１２ｄと、を有している。
一対の対向壁部４１２ｃ，４１２ｃは、タンク本体４１Ａの外壁における対向する一対の対向壁部を構成し、電子部品収容部としてのモータ収容部４１４Ａを構成する。一対の第２対向壁部４１２ｄ，４１２ｄは、一対の第１対向壁部４１２ｃ，４１２ｃに直交して配置され、互いが対向する壁部である。モータ収容部４１４Ａは、下方に開口４１０Ａが設けられており、タンク本体４１Ａの内周壁部４１２ｂ（外壁）の外側（筒状部分の内側）において、タンク本体４１Ａを上下方向に貫通して形成される。
【００９６】
第３実施形態の便器洗浄タンク４Ａにおいては、第１実施形態の便器洗浄タンク４と同様の効果を奏する。つまり、モータ収容部４１４Ａは、タンク本体４１Ａの内周壁部４１２ｂにより形成され、下方に開口４１０Ａを有するため、形状が簡易であり、タンク本体４１Ａを成形して製造する場合に、タンク本体４１Ａを成形するコストを低減できる。これにより、モータ７ａを設置するための製造コストを低減することができる。また、モータ収容部４１４Ａにモータ７ａを収容することで、モータ７ａが水没することを抑制できる。よって、タンク本体４１Ａの高さを低くした場合においても、モータ７ａを設置するための製造コストを低減しつつ、モータ７ａが水没することを抑制することができる。
【００９７】
また、本実施形態においては、モータ収容部４１４Ａは、タンク本体４１Ａの内周壁部４１２ｂにおける対向する一対の対向壁部４１２ｃ，４１２ｃにより構成される。そのため、一対の対向壁部４１２ｃ，４１２ｃによりモータ７ａを前後方向の両側から支持できる。よって、モータ７ａを安定した状態で、タンク本体４１Ａに取り付けることができる。
【００９８】
（第４実施形態）
本発明の第４実施形態について、図９〜図１１を参照して説明する。
第４実施形態に係る便器洗浄タンクとしての便器洗浄タンク９は、図９に示すように、便器洗浄タンク９の左右方向に長く形成される。タンク本体９１は、上面が開口して形成され、底部９１１と、底部９１１の周縁から立ち上がり周囲を囲むように形成される周壁９１２と、を備える。周壁９１２は、タンク本体９１の外壁を構成する。
【００９９】
タンク本体９１の下部には、フラッパー弁（図示せず）により開閉される排水口９１１ａ（図１０参照）が形成されている。フラッパー弁を引き上げて排水口９１１ａを開放することにより、タンク本体９１の内部に貯留された洗浄水が排水口９１１ａから流出して便器本体２ａに供給され、便器本体２ａが洗浄される。フラッパー弁には、玉鎖（図示せず）を介して洗浄駆動ユニット１１に接続されており、例えば、操作ボタンの操作により、洗浄駆動ユニット１１が駆動されて、フラッパー弁は、開閉される。
【０１００】
洗浄駆動ユニット１１は、便器２の洗浄時に駆動する。洗浄駆動ユニット１１は、モータ回転軸部材１１ｂを有するモータ１１ａ（電子部品）を備える。モータ１１ａは、後述するモータ収容部９６０（電子部品収容部）に収容される。
【０１０１】
タンク本体９１は、図９及び図１０に示すように、タンク本体９１の一端部（図１０における左側）から他方側（図１０における右側）に窪むタンク凹部９１３（凹部）を有する。タンク凹部９１３は、タンク本体９１の上下方向の全域に亘って連通しており、下方に開口９１０が設けられている。つまり、タンク凹部９１３は、タンク本体９１の外壁の外側において、タンク本体９１を上下方向に貫通して形成される。
【０１０２】
タンク凹部９１３は、図９及び図１０に示すように、タンク本体９１の左右方向の一方側（図１０における左側）において、タンク本体９１の前後方向の略中央に形成される。タンク凹部９１３は、タンク本体９１の周壁９１２（外壁）がタンク本体９１の内側に窪んで形成される。タンク凹部９１３には、モータ１１ａ（電子部品）が配置される。タンク凹部９１３は、図１０に示すように、平面視で、段差状に形成され、第１凹部９１４と、第２凹部９１５と、を有する。
【０１０３】
第１凹部９１４及び第２凹部９１５は、タンク本体９１の左右方向の一方側（図１０における左側）において、左右方向に並んで配置される。第２凹部９１５は、タンク本体９１の前後方向において、第１凹部９１４の内側であって、第１凹部９１４の中央に配置される。第２凹部９１５は、タンク本体９１の左右方向において、第１凹部９１４よりも、タンク本体９１の内側に配置される。
【０１０４】
具体的には、第１凹部９１４は、タンク本体９１の左右方向の一方側（図１０における左側）において、タンク本体９１の外側に配置される。第１凹部９１４は、タンク本体９１の外側から内側に向けて窪む。
第２凹部９１５は、タンク本体９１の左右方向の一方側（図１０における左側）において、第１凹部９１４よりもタンク本体９１の内側に配置される。第２凹部９１５は、第１凹部９１４からタンク本体９１の内側に向けて窪む。第２凹部９１５におけるタンク本体９１の前後方向の長さは、第１凹部９１４におけるタンク本体９１の前後方向の長さよりも短い。
【０１０５】
第１凹部９１４及び第２凹部９１５は、第１段差壁部９２０と、第２段差壁部９３０と、接続壁部９４０と、により構成されている。第１段差壁部９２０、第２段差壁部９３０及び接続壁部９４０は、タンク本体９１の周壁９１２の一部で構成される。
第１段差壁部９２０及び第２段差壁部９３０は、タンク本体９１の前後方向に離間して配置され、前後において対称な形状に形成される。第１段差壁部９２０及び第２段差壁部９３０は、対向して配置され、タンク本体９１の外壁における一対の対向壁部を構成する。
【０１０６】
第１段差壁部９２０は、図１０に示すように、タンク本体９１の前後方向の前方側に配置される。第１段差壁部９２０は、平面視において、タンク本体９１の左右方向に延びる第１１壁部９２１と、第１１壁部９２１の他方側（図１０における右側）の端部から前後方向の後方側に延びる第１２壁部９２２と、第１２壁部９２２の後方側の端部から左右方向の他方側（図１０における右側）に延びる第１３壁部９２３と、を有する。
【０１０７】
第２段差壁部９３０は、図１０に示すように、タンク本体９１の前後方向の後方側に配置される。第２段差壁部９３０は、タンク本体９１の前後方向において、第１段差壁部９２０に対向して配置される。第２段差壁部９３０は、平面視において、タンク本体９１の左右方向に延びる第２１壁部９３１と、第２１壁部９３１の他方側（図１０における右側）の端部から前後方向の前方側に延びる第２２壁部９３２と、第２２壁部９３２の前方側の端部から左右方向の他方側（図１０における右側）に延びる第２３壁部９３３と、を有する。
【０１０８】
接続壁部９４０は、第１段差壁部９２０におけるタンク本体９１の左右方向の他方側（右側）の端部と、第２段差壁部９３０におけるタンク本体９１の左右方向の他方側（右側）の端部とを前後方向につないで形成される。接続壁部９４０は、タンク本体９１の前後方向及び上下方向に沿う方向に延びる。
【０１０９】
接続壁部９４０には、図１１に示すように、上部において、切り欠き部９４１が形成される。切り欠き部９４１は、タンク本体９１の外壁である周壁９１２の上方部の一部が下方に切り欠かれて形成される。切り欠き部９４１は、第１切り欠き部９４２と、第２切り欠き部９４３と、を有する。第１切り欠き部９４２及び第２切り欠き部９４３は、タンク本体９１の前後方向に並んで配置される。第１切り欠き部９４２は、第２切り欠き部９４３よりも下方に深く切り欠かれている。第１切り欠き部９４２には、モータ１１ａの回転軸部材１１ｂが配置される。第２切り欠き部９４３には、モータ１１ａの側面の一部が配置される。
第１切り欠き部９４２及び第２切り欠き部９４３は、後述するモータ取付部９５０（電子部品取付部）の一部を構成する。
【０１１０】
第１段差壁部９２０及び第２段差壁部９３０は、タンク本体９１の外壁における対向する一対の対向壁部を構成し、モータ１１ａ（電子部品）を収容する電子部品収容部としてのモータ収容部９６０を構成する。モータ収容部９６０には、洗浄駆動ユニット１１のモータ１１ａが収容される。モータ収容部９６０は、タンク本体９１の外壁である周壁９１２により形成される。モータ収容部９６０には、下方に開口９１０が設けられており、タンク本体９１の周壁９１２（外壁）の外側において、タンク本体９１を上下方向に貫通して形成される。モータ１１ａは、モータ取付部９５０の座面９５１，９５２（後述）に取り付けられた状態で、モータ収容部９６０に収容される。
【０１１１】
モータ収容部９６０には、洗浄駆動ユニット１１のモータ１１ａが配置される。
モータ１１ａには、図９に示すように、モータ回転軸部材１１ｂがモータ１１ａを左右方向に貫通して配置されている。モータ１１ａには、上部において、一対の取付延出部１２１，１２２が形成されている。取付延出部１２１，１２２は、モータ回転軸部材１１ｂが延びる方向に直交する方向に沿って、同一直線上に沿って配置され、モータ１１ａの前後方向の外側の両方に延出する。モータ１１ａの取付延出部１２１，１２２は、後述する座面９５１，９５２に掛け渡される。取付延出部１２１，１２２には、モータ側取付貫通穴１２１ａ、１２２ａが形成されている。
【０１１２】
タンク本体９１は、モータ１１ａをタンク本体９１に取り付けるための構造として、図１０に示すように、モータ取付部９５０（電子部品取付部）を有する。モータ１１ａは、モータ収容部９６０に配置された状態で、モータ取付部９５０に取り付けられる。
【０１１３】
モータ取付部９５０は、図９に示すように、座面９５１，９５２と、切り欠き部９４１と、を有する。
座面９５１，９５２は、周壁９１２の上方であって上面に形成される。座面９５１，９５２には、タンク本体９１の外側に配置されたモータ１１ａが取り付けられる。座面９５１，９５２は、第１凹部９１４の角部の上面に形成される。
【０１１４】
具体的には、タンク本体９１の前後方向の前方側の座面９５１は、図１０に示すように、第１段差壁部９２０の第１１壁部９２１及び第１２壁部９２２で構成される角部の上面に形成される。座面９５１には、座面９５１から下方に延びる座面側ねじ穴９５１ａが形成される。
タンク本体９１の前後方向の後方側の座面９５２は、第２段差壁部９３０の第２１壁部９３１及び第２２壁部９３２で構成される角部の上面に形成される。座面９５２には、座面９５２から下方に延びる座面側ねじ穴９５２ａが形成される。
【０１１５】
切り欠き部９４１は、周壁９１２の上方部の一部が下方に切り欠かれて形成される。
切り欠き部９４１は、接続壁部９４０における第１切り欠き部９４２及び第２切り欠き部９４３により構成される。第１切り欠き部９４２は、第２切り欠き部９４３よりも下方に深く切り欠かれている。第１切り欠き部９４２には、モータ１１ａの回転軸部材１１ｂが配置される。第２切り欠き部９４３には、モータ１１ａの側面の一部が配置される。
【０１１６】
また、タンク本体９１に蓋部（図示せず）を取り付けるための構造として、図１０に示すように、タンク本体９１の上面には、複数のタンク本体側係合部９０１が形成されている。複数のタンク本体側係合部９０１は、蓋部（図示せず）に係合する。
【０１１７】
以上のように構成されるタンク本体９１において、図１０を参照して説明すると、モータ１１ａは、次のように、タンク本体９１に取り付けられる。
【０１１８】
具体的には、モータ１１ａをモータ収容部９６０に配置した状態で、モータ１１ａをモータ取付部９５０に取り付ける。詳細には、モータ１１ａの回転軸部材１１ｂを第１切り欠き部９４２に配置して、モータ１１ａの取付延出部１２１，１２２を座面９５１，９５２に配置した状態で、ねじ部材１０４，１０５で、モータ１１ａをタンク本体９１に取り付ける。
【０１１９】
モータ１１ａの一方の取付延出部１２１においては、上方側からねじ部材１０４をモータ側取付貫通穴１２１ａに挿入することで、モータ側取付貫通穴１２１ａの周縁にねじ部材１０４の頭部が係止された状態で、ねじ部材１０４の先端側のねじ部分が座面側ねじ穴９５１ａに螺合される。
また、モータ１１ａの他方の取付延出部１２２においては、上方側からねじ部材１０５をモータ側取付貫通穴１２２ａに挿入することで、モータ側取付貫通穴１２２ａの周縁にねじ部材１０５の頭部が係止された状態で、ねじ部材１０５の先端側のねじ部分が座面側ねじ穴９５２ａに螺合される。
このようにして、モータ１１ａをタンク本体９１に容易に取り付けることができる。
また、モータ１１ａをタンク本体９１から取り外す場合には、ねじ部材１０４，１０５を取り外すことで、モータ１１ａをタンク本体９１から容易に取り外すことができる。
【０１２０】
以上説明した本実施形態の便器洗浄タンク９によれば、以下のような効果を奏する。
本実施形態の便器洗浄タンク９は、底部９１１と、底部９１１の周縁から立ち上がる周壁９１２と、を有するタンク本体９１と、タンク本体９１を覆う上部カバー８ａと、を備え、タンク本体９１は、タンク本体９１の周壁９１２により形成され且つ下方に開口９１０を設けたモータ収容部９６０を備える。このため、モータ収容部９６０は、タンク本体９１の周壁９１２により形成され、下方に開口９１０を有するため、形状が簡易であり、タンク本体９１を成形して製造する場合に、タンク本体９１を成形するコストを低減できる。これにより、モータ１１ａを設置するための製造コストを低減することができる。また、モータ収容部９６０にモータ１１ａを収容することで、モータ１１ａが水没することを抑制できる。よって、タンク本体９１の高さを低くした場合においても、モータ１１ａが水没することを抑制しつつ、モータ１１ａを設置するための製造コストを低減することができる。
【０１２１】
また、本実施形態においては、モータ収容部９６０は、タンク本体９１の外壁９１２における対向する一対の第１段差壁部９２０及び第２段差壁部９３０により構成される。そのため、第１段差壁部９２０及び第２段差壁部９３０によりモータ１１ａを前後方向の両側から支持できる。よって、モータ１１ａを安定した状態で、タンク本体９１に取り付けることができる。
【０１２２】
以上、本発明の便器洗浄タンク４，９の好ましい実施形態について説明したが、本発明は、上述した実施形態に制限されるものではなく、適宜変更が可能である。
【０１２３】
前記第１実施形態では、タンク本体４１の内部にオーバーフロー管１５を設けると共に、モータ収容部４１４を構成する周壁４１２の上端部を、タンク本体４１の周壁４１２におけるモータ収容部４１４を構成しない周壁４１２の上端部よりも低い位置に配置したが、これに限定されない。オーバーフロー管１５を備えずに、モータ収容部４１４を構成する周壁４１２の上端部を、タンク本体４１の周壁４１２におけるモータ収容部４１４を構成しない周壁４１２の上端部よりも低い位置に配置するように構成してもよいし、オーバーフロー管１５を備えると共に、モータ収容部４１４を構成する周壁４１２の上端部を、タンク本体４１の周壁４１２におけるモータ収容部４１４を構成しない周壁４１２の上端部と同じ又は高い位置に配置するように構成してもよい。
【０１２４】
前記第３実施形態及び前記第４実施形態では、モータ収容部４１４Ａ，９６０を構成する外周壁部４１２ａ又は周壁９１２の上端部は、タンク本体４１Ａ，９１の外周壁部４１２ａ又は周壁９１２におけるモータ収容部４１４Ａ，９６０を構成しない外周壁部４１２ａ又は周壁９１２の上端部と同じ高さに形成されているが、これに限定されない。モータ収容部４１４Ａ，９６０を構成する外周壁部４１２ａ又は周壁９１２の上端部は、タンク本体４１Ａ，９１の外周壁部４１２ａ又は周壁９１２におけるモータ収容部４１４Ａ，９６０を構成しない外周壁部４１２ａ又は周壁９１２の上端部よりも低い位置に配置されていてもよい。これにより、第１実施形態と同様に、モータ収容部４１４Ａ，９６０を構成する外壁の上端部をタンク本体４１Ａ，９１の外壁におけるモータ収容部４１４Ａ，９６０を構成しない外周壁部４１２ａ又は周壁９１２の上端部よりも低い位置に配置することで、オーバーフローの機能を備えることができる。
【０１２５】
更に、前記第３実施形態及び前記４実施形態において、モータ収容部４１４Ａ，９６０を構成する外壁の上端部をタンク本体４１Ａ，９１の外壁におけるモータ収容部４１４Ａ，９６０を構成しない外周壁部４１２ａ又は周壁９１２の上端部よりも低い位置に配置した上で、モータ収容部４１４Ａ，９６０を構成する外周壁部４１２ａ又は周壁９１２の外面に、第１実施形態のリブ部４１６を設けてもよい。これにより、モータ収容部４１４Ａ，９６０を構成する外壁がオーバーフローの機能を有している場合に、モータ収容部４１４Ａ，９６０を構成する外壁の上端部から溢れた洗浄水がリブ部４１６を伝わって下方へガイドされて、ベースプレート３に落ちるため、モータ収容部４１４Ａ，９６０を構成する外壁の上端部から溢れた洗浄水の飛沫が、外部に飛び跳ねることを抑制できる。
【０１２６】
また、前記第１実施形態では、リブ部４１６を、橋渡部４１５の下端部から延びるように構成したが、これに限定されない。橋渡部４１５を備えない構成において、リブ部４１６を、第１壁部４１３ａの上端部から下方に向けて延びるように構成してもよい。
【０１２７】
また、前記第１実施形態では、上方側リブ４１６ａと下方側リブ４１６ｃとの間に傾斜リブ４１６ｂを設けたが、これに限定されず、傾斜リブ４１６ｂを設けない構成であってもよい。傾斜リブ４１６ｂを設けない構成において、上方側リブ４１６ａと下方側リブ４１６ｃとを上下方向に連続して配置してもよいし、上方側リブ４１６ａと下方側リブ４１６ｃとを離間して配置してもよい。
【０１２８】
また、前記第１実施形態では、リブ部４１６として、上方側リブ４１６ａ及び下方側リブ４１６ｃを設けたが、これに限定されず、上方側リブ４１６ａのみを設けて、下方側リブ４１６ｃを設けなくてもよい。また、この場合に、上方側リブ４１６ａを、下方側リブ４１６ｃが存在したタンク本体４１の下方側まで延びるように構成してもよい。
【０１２９】
また、前記第１実施形態では、第１壁部４１３ａに設けたガイド部を、リブ部４１６で構成したが、これに限定されない。第１壁部４１３ａに設けたガイド部を、例えば、発砲材、スポンジ、パッキン等の部材をシールなどで、タンク本体４１に貼り付けるように構成してもよい。
【０１３０】
また、前記第１実施形態では、モータ収容部４１４を、タンク本体４１の長辺の側面から窪むように形成されたタンク凹部４１３において、対向する一対の対向壁部（第１壁部４１３ａ，第２壁部４１３ｂ）で構成し、前記第３実施形態では、モータ収容部４１４Ａを、タンク本体９１の内側の外壁において上下方向に貫通する筒状の開口の内周壁部４１２ｂにおいて、対向する一対の対向壁部４１２ｃ，４１２ｃで構成し、前記第４実施形態では、モータ収容部９６０を、タンク本体９１の短辺の側面から窪むように形成されたタンク凹部９１３において、対向する一対の対向壁部（第１段差壁部９２０，第２段差壁部９３０）で構成したが、これに限定されない。モータ収容部を構成する位置は、タンク本体のどの部分でもよい。例えば、タンク本体の外壁において、タンク本体４１の角部において角部から窪むように形成されたタンク凹部において、モータ収容部を構成してもよい。
【０１３１】
また、前記第１実施形態、前記第３実施形態及び前記第４実施形態では、モータ収容部４１４，４１４Ａ，９６０の下方においてタンク本体４１，４１Ａ，９１を上下方向に貫通した部分の全部を、開口４１０，４１０Ａ，９１０としたが、これに限定されない。例えば、モータ収容部４１４，４１４Ａ，９６０の下方に底部を設けて、その底部の一部を貫通する開口を設けることで、モータ収容部４１４，４１４Ａ，９６０の下方に設けた開口としてもよい。
【符号の説明】
【０１３２】
３  ベースプレート
４，４Ａ  便器洗浄タンク
８  便器洗浄装置
８ａ  上部カバー（タンクカバー）
１０  便器洗浄装置
２０  タンクカバー
４１  タンク本体
６１  補給水吐水部（吐水部）
９１  タンク本体
４１０，４１０Ａ  開口
４１１  底部
４１２  周壁（外壁）
４１２ｂ  内周壁（外壁）
４１３ａ  第１壁部（対向壁部、電子部品収容部）
４１３ｂ  第２壁部（対向壁部、電子部品収容部）
４１４，４１４Ａ  モータ収容部（電子部品収容部）
４１５  橋渡部
４１６  タンク本体リブ部（ガイド部）
４１６ａ  上方側リブ
４１６ｃ  下方側リブ
９１０  開口
９１１  底部
９１２  周壁（外壁）
９２０  第１段差壁部（対向壁部、電子部品収容部）
９３０  第２段差壁部（対向壁部、電子部品収容部）
９６０  モータ収容部（電子部品収容部）
【図１】
0006726518.tif 000002
【図２】
0006726518.tif 000003
【図３Ａ】
0006726518.tif 000004
【図３Ｂ】
0006726518.tif 000005
【図４】
0006726518.tif 000006
【図５】
0006726518.tif 000007
【図６】
0006726518.tif 000008
【図７】
0006726518.tif 000009
【図８】
0006726518.tif 000010
【図９】
0006726518.tif 000011
【図１０】
0006726518.tif 000012
【図１１】
0006726518.tif 000013